(57)【要約】    【課題】  使い勝手の良い把持部を具えしかも見栄えに優れたベッドを提供する。    【解決手段】矩形の周囲枠を有するフレーム体からなりかつ前記周囲枠に飾り側板を設けた平面矩形のベッド枠体と、マットを載せる寝具載置面を有し前記フレーム体に支持されうるマットフレームと、前記ベッド枠体の側部に取付けられ、使用者が把持しうる把持部を有する握り板ユニットとを具えるベッドであって、前記マットフレームは、前記寝具載置面に、ベッド巾方向にのびる複数枚の長板を、使用者の頭部側の前部から後部に、隙間を隔てて平行に配したすのこ状部を有し、前記握り板ユニットは、前記ベッド枠体の飾り側板を越えて立ち上がる前記把持部を、前記すのこ状部の複数の前記隙間を通る複数の通し軸により連結したことを特徴とする。【選択図】  図２
2006136554.tif 000002
【特許請求の範囲】
【請求項１】
矩形の周囲枠を有するフレーム体からなりかつ前記周囲枠に飾り側板を設けた平面矩形のベッド枠体と、マットを載せる寝具載置面を有し前記フレーム体に支持されうるマットフレームと、前記ベッド枠体の側部に取付けられ、使用者が把持しうる把持部を有する握り板ユニットとを具えるベッドであって、
前記マットフレームは、前記寝具載置面に、ベッド巾方向にのびる複数枚の長板を、使用者の頭部側の前部から後部に、隙間を隔てて平行に配したすのこ状部を有し、
前記握り板ユニットは、前記ベッド枠体の飾り側板を越えて立ち上がる前記把持部を、前記すのこ状部の複数の前記隙間を通る複数の通し軸により連結したことを特徴とするベッド。
【請求項２】
前記ベッド枠体は、前記すのこ状部に位置して、その飾り側板の内側面と、マットフレームの外側面と、前記周囲枠の上面とが面する溝状部が形成され、前記握り板ユニットは、該溝状部に嵌まり合う下向き嵌合部を具えることを特徴とする請求項１記載のベッド。
【請求項３】
前記把持部は、前記飾り側板上に載置されて立ち上がるつかみ具と、下方にのび、下端部に前記下向き嵌合部を有する連結金具とからなり、かつ前記下向き嵌合部は前記飾り側板の内側面に沿う外側片と、前記マットフレームの外側面に沿う小高さの内側片と、それらの下端を継ぐ底片とを具え、しかも前記通し軸は、前記内側片の上端をへて前記外側片に固着されることを特徴とする請求項１又は２記載のベッド。
【請求項４】
前記握り板ユニットは、ヘッド巾方向長さが調整可能であることを特徴とする請求項１〜３のいずれかに記載のベッド。
【請求項５】
前記マットフレームは、頭部又は脚部を折れ曲げ可能であり、かつ前記すのこ状部は少なくとも臀部が載置される非折曲げ部に形成されることを特徴とする請求項１〜４のいずれかに記載のベッド。
【発明の詳細な説明】
【技術分野】
【０００１】
本発明は、コンパクトに装着でき、かつ位置変えも可能としうる把持部を有するベッドに関する。
【背景技術】
【０００２】
ベッドに登り降りし、またベッド上で姿勢を替える際のグリップとして、或いは寝具のずれ落ち防止のため、本出願人は、図１２、１３に示すように、側部に把持部ａを設けたベッドを提案している（例えば、特許文献１参照）。
【０００３】
前記把持部ａは、門型のガード本体部ｂと、このガード本体部ｂの両下端部から内方に折れ曲がった水平部ｄとからなるサイドガード部材ｅを、ベッド本体ｆ側部で前後にのびる縦枠材ｇに固着することにより形成している。なお前記水平部ｄの内端部は、下開放の横コ字状の結合金具ｈを介して縦枠材ｇに螺着している。
【０００４】
【特許文献１】特開２００２−１１９３８０号公報
【発明の開示】
【発明が解決しようとする課題】
【０００５】
しかしながら、前記ベッドの把持部ａは、内端部がベッド本体ｆの下面で縦枠材ｇに螺着したサイドガード部材ｅが、ベッド本体ｆの側部で立ち上がって形成されるため、大型化するとともにベッド本体ｆの側方に飛び出しを生じる。そのため、外観上目立ちがちであり、側方に飛び出したガード本体部ｂが、例えば介護作業などを邪魔する可能性も考えられる。更に、把持部ａは前記縦枠材ｇから側方に張り出して片持ち状に支持されるものであるため、過酷な使用状態を考慮に入れると強度上の改良も要求される。
【０００６】
本発明は、使用者が把持しうる把持部をマットフレームのすのこ状部の隙間を通る通し軸により連結したことを基本とし、使い勝手の良い把持部を具えしかも見栄えに優れたベッドの提供を課題としている。
【課題を解決するための手段】
【０００７】
前記目的を達成するために、請求項１に係る発明は、矩形の周囲枠を有するフレーム体からなりかつ前記周囲枠に飾り側板を設けた平面矩形のベッド枠体と、マットを載せる寝具載置面を有し前記フレーム体に支持されうるマットフレームと、前記ベッド枠体の側部に取付けられ、使用者が把持しうる把持部を有する握り板ユニットとを具えるベッドであって、前記マットフレームは、前記寝具載置面に、ベッド巾方向にのびる複数枚の長板を、使用者の頭部側の前部から後部に、隙間を隔てて平行に配したすのこ状部を有し、前記握り板ユニットは、前記ベッド枠体の飾り側板を越えて立ち上がる前記把持部を、前記すのこ状部の複数の前記隙間を通る複数の通し軸により連結したことを特徴とする。
【０００８】
請求項２に係る発明では、前記ベッド枠体は、前記すのこ状部に位置して、その飾り側板の内側面と、マットフレームの外側面と、前記周囲枠の上面とが面する溝状部が形成され、前記握り板ユニットは、該溝状部に嵌まり合う下向き嵌合部を具え、また請求項３に係る発明において、前記把持部は、前記飾り側板上に載置されて立ち上がるつかみ具と、下方にのび、下端部に前記下向き嵌合部を有する連結金具とからなり、かつ前記下向き嵌合部は前記飾り側板の内側面に沿う外側片と、前記マットフレームの外側面に沿う小高さの内側片と、それらの下端を継ぐ底片とを具え、しかも前記通し軸は、前記内側片の上端をへて前記外側片に固着されることを特徴とする。
【０００９】
請求項４の握り板ユニットは、ヘッド巾方向長さが調整可能であり、また請求項５に係る発明において、前記マットフレームは、頭部又は脚部を折れ曲げ可能であり、かつ前記すのこ状部は少なくとも臀部が載置される非折曲げ部に形成されることを特徴とする。
【発明の効果】
【００１０】
請求項１に係る発明は、把持部を連結する通し軸が、すのこ状部の隙間でコンパクトに配置されるとともにマットに隠れて外から見えることなく、見栄えに優れる。しかも把持部は、ベッド枠体の飾り側板を越えて立ち上がるため、ベッド側方に突出することがない。従って、使用者が誤ってこれに引っ掛かかることを防止でき、かつ介護者などの作業を妨げることもない。また握り板ユニットは、把持部が複数の通し軸によって連結されるため、剛性が高められる。その結果、ベッドへの登り降り、ベッド上で姿勢を入れ替えるなどの際、使用者がこれを把持して力を加えても揺れなどの変形が抑制され、使用者の安全と安心感とを高めることができる。さらには通し軸の挿入する隙間を前後に変えることにより、把持部を使用条件に適合した位置に設けることができる。
【００１１】
請求項２に係る発明のように、握り板ユニットの下向き嵌合部がベッド枠体の溝状部に嵌まり合って支持されると、使用者の加える力を安定して支持できる。しかも、握り板ユニットの着脱を簡単に行えるため、使い勝手に優れる。また請求項３に係る発明のように、連結金具に下向き嵌合部を形成することにより、つかみ具と通し軸端部との連設部が支持されるため、握り板ユニットの固定が安定し、しかも通し軸は、内側片の上端をへて前記外側片に固着されるため、通し軸と把持部とを堅固に連結できる。
【００１２】
請求項４に係る発明の握り板ユニットは、各種変形に追従して、ヘッド巾方向の長さが調整できるため、着脱操作をスムースに行える。また請求項５に係る発明では、頭部又は脚部側を折り曲げてリクライニング状に持ち上がるマットフレームの上の使用者が、臀部に配される握り板ユニットの把持部を持つことにより、安全に動作でき、かつ寝具の落下を防止しうる。
【発明を実施するための最良の形態】
【００１３】
以下、本発明の実施の一形態を、図示例とともに説明する。図１、２に示すように、ベッド１は、平面矩形のベッド枠体５と、このベッド枠体５に支持されるとともにマットＭを受けるマットフレーム７と、握り板ユニット９とを具える。
【００１４】
前記ベッド枠体５は、フレーム体３を有し、両側部に配される飾り側板４が設けられ、更に本形態では、使用者の頭部側の前部にヘッドボード（宮板）２１、及び後部にフットボード２２を設けている。
【００１５】
前記フレーム体３は、図２に示すように、周囲枠２と、この周囲枠２の内側に架け渡され、前後にのびる補強桟２３Ａと、巾方向にのびる補強桟２３Ｂとからなる。前記周囲枠２は、両側部で前後にのびる左右の側枠２Ａ、２Ａと、この側枠２Ａ、２Ａの前後端部をつないで、巾方向にのびる前枠２Ｂ、及び後枠２Ｃとからなり、矩形状をなす。なお前記側枠２Ａ、前枠２Ｂ及び後枠２Ｃは、同一断面の縦長角パイプが用いられている。
【００１６】
前記周囲枠２は、左右の側枠２Ａ、２Ａの前部及び後部に、ベッド枠体５を水平に支える支脚部２４が形成される。この支脚部２４は、側枠２Ａから垂下する支柱部２４Ａと、この支柱部２４Ａの下端部から前後にのびる水平な腕部２４Ｂとからなり逆Ｔ字状をなす。なお前記腕部２４Ｂの前後端部には、キャスター２５が設けられる。
【００１７】
前記飾り側板４は、図２、６に示すように、側枠２Ａと略同じ長さを有する長尺板状をなし、内側上部に段部３２を有して縦断面略Ｌ字状に形成される。そして、この飾り側板４は、前記段部３２を側枠２Ａの外側面及び下面に沿わせて配され、側枠２Ａを上下に貫通するビス（図示せず）を前記段部３２の下面に打ち込むことにより、側枠２Ａに沿い固着される。
【００１８】
また前記ヘッドボード（宮板）２１及びフットボード２２は、前記フレーム体３と略同巾の直立板状をなし、周囲枠２の前枠２Ｂ及び後枠２Ｃにビス、金物などを用いて固着される。なお前記飾り側板４の前後端部は、ヘッドボード（宮板）２１、フットボード２２の表面に当接しているため、隙間がなく見栄えが良い点で好ましい。
【００１９】
なお飾り側板４、ヘッドボード（宮板）２１及び後部のフットボード２２は、杉、松、樅、栂などの針葉樹、およびナラ、チーク、ラワンなどの広葉樹を含む木材、ＭＤＦ（中密度繊維板）、集成材などの木質加工材、リサイクル木粉にポリプロピレン樹脂、ポリエチレン樹脂などを配合して押出、射出成形した人工木材、プラスチック、金属その他を用いて形成される。
【００２０】
前記マットフレーム７は、前記周囲枠２よりも少し小巾で矩形の外周枠２６Ａとこの外周枠２６Ａの内側に配された補強枠２６Ｂとにより構成され、フレーム体３上でその中央に配置される。本形態のマットフレーム７は、前部から後部に向け、使用者の頭を支える頭部枠体２７、背中を支える背部枠体２８、臀部を支える臀部枠体２９、大腿部を支える大腿部枠体３０、及び下腿部を支える下腿部枠体３１に分割して形成される。前記臀部枠体２９は、前記フレーム体３にビスなどを用いて固着される。背部枠体２８は後端部が臀部枠体２９に枢着され、更に背部枠体２８の前端部に頭部枠体２７が連結されている。そして、図９に示すように、頭部枠体２７及び背部枠体２８は、揺動レバー（図示せず）により持ち上げられると、臀部枠体２９の前端から折れ曲がって上昇し、起き上がる使用者の上半身を支えるリクライニング状態が形成される。
【００２１】
また、前記大腿部枠体３０は、前端部が臀部枠体２９に枢支され、この大腿部枠体３０の後端部に下腿部枠体３１の前端部を枢着している。そして、大腿部枠体３０及び下腿部枠体３１は、平行クランク機構（図示せず）により持ち上げられると、臀部枠体２９の後端から折れ曲がるとともに下腿部枠体３１が水平状態を維持しつつ上昇し、脚部をリラックスさせるフットアップ状態が形成される。
【００２２】
このように本形態では、臀部枠体２９がフレーム体３に固着されることにより、非折曲げ部２１を形成している。そして頭部側及び脚部側を共に折り曲げ可能に形成しているが、何れか一方を臀部枠体２９と同様、非折曲げ部２１とすることもよい。
【００２３】
なおマットフレーム７は、前記の如くフレーム体３より小巾に形成され、しかもフレーム体３の中央に配置される。従ってマットフレーム７の両側部に、図３、４に示すように、マットフレーム７の外周枠２６Ａの外側面と、この外側面から間隔Ｗ１離れた飾り側板４の内側面と、フレーム体３の周囲枠２の上面とが面する溝状部１４が形成される。
【００２４】
この両側の溝状部１４の間で、前記マットフレーム７上部には、すのこ状部１２が形成される。このすのこ状部１２は、図６に示すように、ベッド巾方向にのびる複数枚の長板１０を、マットフレーム７の上で、隙間１１を隔てて前後に平行に配置して形成される。そしてこのすのこ状部１２の表面により、マットＭを載せる寝具載置面６が形成される。前記隙間１１の巾は、例えば７〜２５ｍｍ程度、本形態では、１３ｍｍに形成される。本形態の長板１０は、長板１０を上下に貫通するビスをマットフレーム７に打ち込んで固着されている。またつなぎ桟により数枚の長板１０を連結した後、マットフレーム７に固着すると、効率的に取り付けできる点で好ましい。長板１０には、抗菌、防臭、通気性に優れた桐を用いることが好ましく、この他、檜、杉、ファルカタなどを用いることもできる。
【００２５】
本形態では、前記頭部枠体２７、背部枠体２８、臀部枠体２９、大腿部枠体３０、及び下腿部枠体３１に対し、各枠体の大きさに応じた枚数の長板１０が取り付けられている。しかし、臀部枠体２９を除く各枠体には、長板１０と略同厚のマット受板を取り付けることにより、寝具載置面６を形成することもできる。
【００２６】
前記握り板ユニット９は、図３に示すように、前記左右の飾り側板４、４の間隔と等しく離れて向き合う直立板状の把持部８、８の下部間を複数、本形態では２本の通し軸１３、１３で連結して形成される。そして本形態の通し軸１３は、前記隙間１１の巾よりも僅かに小さい巾の角パイプにより形成されている。そして、握り板ユニット９は、把持部８が飾り側板４に載置されて立ち上がり、かつ通し軸１３を前記すのこ状部１２の隙間１１に挿入して装着される。従って、使用者が把持部８を握ってベッドへの登り降り、ベッド上での姿勢の入れ替えなどを楽に行うことができ、また高齢者の起き上がり動作等を助けるグリップとして使用できる。更には寝具のずれ落ちを防止でき、子供の落下防止用の防護柵としても機能する。
【００２７】
また本形態の通し軸１３は、図８に示すように、左右に分断された角パイプ１３Ａ、１３Ｂにより形成されている。一方の角パイプ１３Ａ端部の中空孔には、角棒１３Ｄの基部が嵌合固着され、かつ前記角棒１３Ｄの先端部が他方の角パイプ１３Ｂ端部の中空孔に摺動可能に挿入されている。このように形成された通し軸１３の伸縮により、握り板ユニット９はベッド巾方向長さが調整可能であり、荷重による撓み変形、熱膨張などによるベッドの変形に追従できるため、着脱操作をスムースに行えるとともに、浮上りなども防止される。
【００２８】
また本形態の把持部８は、図７に示すように、飾り側板４の上に載置されて立ち上がるつかみ具１６と、このつかみ具１６を通し軸１３に固着する連結金具１７とからなる。本形態のつかみ具１６は、図７に示すように、略台形状をなし下部に埋め込みナット３４を埋設した一対の側片１６Ａ、１６Ａと、この側片１６Ａの下部を繋ぐ逆台形状の下片１６Ｂと、この下片１６Ｂから上に離れて側片の上端部間を繋ぐ上片１６Ｄとを接着して形成される。前記つかみ具１６は、上片１６Ｄと下片１６Ｂとの間に開口１６Ｅが形成され、この開口１６Ｅに指を挿入できグリップ性を高めうる点で好ましい。
【００２９】
前記連結金具１７は、短冊形をなし上部に固着孔３５を有する外側片１８と、この外側片１８の下端で直角に折れ曲がり水平にのびる底片２０と、この底片２０の先端で直角に折れ曲がり前記外側片１８から間隔Ｗ２離れて小高さで立ち上がる内側片１９とからなり、略Ｌ字状をなす。なお前記内側片１９の小高さとは、外側片１８の高さに比べてかなり低く、例えば１０〜３５ｍｍ程度をいう。外側片１８は、その下部がつかみ具１６の下端よりも下に突出する高さで、つかみ具１６の内表面に重なる。そして前記固着孔３５に挿入したボルト３６を前記つかみ具１６の埋め込みナット３４に螺合し、これにより連結金具１７がつかみ具１６に固着される。このようにして取り付けられた連結金具１７は、外側片１８のつかみ具１６下端よりも下方に突出する部分と、底片２０と、内側片１９とで下向き嵌合部１５を形成する。
【００３０】
本形態では前記外側片１８と内側片１９との間隔Ｗ２は、前記溝状部１４を構成するマットフレーム７の外周枠２６Ａの外側面と、飾り側板４の内側面との間隔Ｗ１と略同一に形成される。従って、図４、６に示すように、飾り側板４上に載置されたつかみ具１６から下方にのびる下向き嵌合部１５は、前記溝状部１４に嵌合し、外側片１８が飾り側板４の内側面に沿い、他方内側片１９がマットフレーム７の外側面に沿って挟着されるため、握り板ユニット９は堅固に固定される。その結果使用者が把持部８を強く押し引きしても、把持部８の固定は揺らぐことなく安定してその力を支えることができる。また、握り板ユニット９を真上に持ち上げると、下向き嵌合部１５の嵌合を解除することができ、握り板ユニット９の取り外し、或いはその装着位置を前又は後側へ移動させる等の取り扱いを簡単に行える。
【００３１】
更に本形態の底片２０は、図４、５に示すように、フレーム体３の周囲枠２の上面に沿って配置されている。従って、使用者が加える負荷が連結金具１７を通じてフレーム体３に直接支持さるため、握り板ユニット９の支持強度が更に安定する点で好ましい。
【００３２】
また本形態の通し軸１３は、その端部が前記連結金具１７の外側片１８に溶接などにより固着されるとともに内側片１９の上端部に対しても溶接などにより固着されている。そのため通し軸１３と把持部８とが堅固に固着され、握り板ユニット９の剛性が向上しうる点で好ましい。
【００３３】
叙上の如く、ベッドへの登り降りをはじめ高齢者等の動作を助けるとともに寝具のずれ落ち、子供の落下を防止しうる柵として機能する把持部８は、図１０に示すように、通し軸１３を通す隙間１１の位置を選択することにより、使用条件に応じて把持部８を前後に移動させて、使い勝手を高めることができる。
【００３４】
また把持部８を連結する通し軸１３は、図１に示すように、すのこ状部１２の隙間１１でコンパクトに配置されるとともにマットＭに隠れて露呈せず、しかも飾り側板４から立ち上がる把持部８は、飾り側板４と一体化された外観を呈するため、見栄えが優れる。更に把持部８は、ベッド枠体５の飾り側板４の上に立ち上がるため、ベッド側方へ飛び出すことがない。従って、使用者などが誤って引っ掛かかることもなく、また介護、掃除などの作業がやり易く、更に狭い寝室などの空間においても問題なく使用できる。また把持部８が複数の通し軸１３によって連結されるため、握り板ユニット９の剛性が高い。従って、使用者が大きな力を加えても揺れなどの変形が小さく、安全かつ安心して使用できる。  
【００３５】
また前記の如く折れ曲がり可能に形成されたマットフレーム７の頭部又は脚部を持ち上げる際は、図９に示すように、非折曲げ部２１の臀部枠体２９に装着された握り板ユニット９の把持部８により、傾斜角度を変化させて動くベッド上の使用者の安全及び安心感を維持できるとともに寝具のずれ落ちを防止できる。
【００３６】
図１１は、他の実施形態を例示している。以下異なる内容について説明し、それ以外は図中に表れた主要な構成に同じ符号を付すのみとする。本形態のベッド１では、ベッド枠体５が電動器３７により駆動するシザースリンク機構からなる支脚部３８により支持され、昇降自在に形成されている。従って本形態の把持部８は、昇降するベッド上の使用者の落下防止柵になるとともに、グリップとして使用者が体勢を整えることができ、使用者の安全性、快適性を高めることができる。
【００３７】
図１２は、握り板ユニット９の他の実施形態を例示している。本形態のつかみ具１６は、垂直矩形板状の基板３３と、この基板３３の上端面から立ち上がる逆Ｕ字棒３９とからなる。このつかみ具１６は、基板３３の内側面に螺着された前記と同様な構成のＬ字状の連結金具１７とで把持部８を構成している。本形態のつかみ具１６の逆Ｕ字棒３９は握り易いため、握力の低下した高齢者でも使い勝手が良く、しかもリクライニング機構などを制御するリモコンのホルダ部として便利に使用できる点で好ましい。
【００３８】
なお叙上の説明は本発明の実施の形態を例示したものであり、本発明の技術的範囲はこれに限定されるものではない。
【図面の簡単な説明】
【００３９】
【図１】本発明の一実施の形態を例示する斜視図である。
【図２】その分解斜視図である。
【図３】そのＡ−Ａ断面図である。
【図４】その要部拡大図である。
【図５】その要部拡大平面図である。
【図６】その要部拡大斜視図である。
【図７】握り板ユニットの要部分解斜視図である。
【図８】その異なる要部正面図である。
【図９】使用状態を説明する正面図である。
【図１０】異なる使用状態を説明する正面図である。
【図１１】他の実施形態を例示する斜視図である。
【図１２】他の握り板ユニットの要部分解斜視図である。
【図１３】従来例の斜視図である。
【図１４】その要部拡大斜視図である。
【符号の説明】
【００４０】
１      ベッド
２      周囲枠
３      フレーム体
４      飾り側板
５      ベッド枠体
６      寝具載置面
７      マットフレーム
８      把持部
９      握り板ユニット
１０      長板
１１      隙間
１２      すのこ状部
１３      通し軸
１４      溝状部
１５      下向き嵌合部
１６      つかみ具
１７      連結金具
１８      外側片
１９      内側片
２０      底片
２１      非折曲げ部
Ｍ      マット
【図１】
2006136554.tif 000003
【図２】
2006136554.tif 000004
【図３】
2006136554.tif 000005
【図４】
2006136554.tif 000006
【図５】
2006136554.tif 000007
【図６】
2006136554.tif 000008
【図７】
2006136554.tif 000009
【図８】
2006136554.tif 000010
【図９】
2006136554.tif 000011
【図１０】
2006136554.tif 000012
【図１１】
2006136554.tif 000013
【図１２】
2006136554.tif 000014
【図１３】
2006136554.tif 000015
【図１４】
2006136554.tif 000016